(57)【要約】【課題】配線部から光コネクタまでの長さを調整できる光配線部材を提供する。【解決手段】光配線部材は、筐体１０と、テープ心線付き光コネクタ３０と、を備え、複数の光ファイバ２０は、対応するテープ心線付き光コネクタ３０ごとにテープ化されたテープ化端部２３を有し、テープ化端部２３は、筐体１０の内部空間Ｓにおいて配線部Ｓ１の前縁部Ｓａに位置決めされるとともに、対応するテープ心線付き光コネクタ３０のテープ心線３３の一端に接続されており、配線部Ｓ１の前縁部Ｓａと開口１０ａとの間にはテープ心線３３を弛ませた状態で配置することができる余長処理領域Ｓ２が設定され、テープ心線３３は、余長処理領域Ｓ２における開口１０ａ側の縁部に設けられた位置決め部４０によって位置決めされており、余長処理領域内では、テープ心線３３を構成する複数の光ファイバ３４同士の少なくとも一部が互いに分離されている。【選択図】図１
2019056833.tif 000002
【特許請求の範囲】
【請求項１】
複数の光導波路が配線されている配線部を含む内部空間、及び、前記内部空間に通じる開口を有する筐体と、
一端が前記内部空間に配置されたテープ心線、及び、前記テープ心線の他端に取り付けられた光コネクタを有する複数のテープ心線付き光コネクタと、を備え、
前記複数の光導波路は、対応する前記テープ心線付き光コネクタごとに集約された集約端部を有し、
前記集約端部は、前記筐体の内部空間において前記配線部の縁部に位置決めされるとともに、対応する前記テープ心線付き光コネクタの前記テープ心線の一端に接続されており、
前記配線部の縁部と前記開口との間には前記テープ心線を弛ませた状態で配置することができる余長処理領域が設定され、
前記テープ心線は、前記余長処理領域における前記開口側の縁部に設けられた位置決め部によって位置決めされており、
前記余長処理領域内では、前記テープ心線を構成する複数の単心線同士の少なくとも一部が互いに分離されている、光配線部材。
【請求項２】
前記余長処理領域内では、前記複数の単心線同士が単心分離されている、請求項１に記載の光配線部材。
【請求項３】
単心分離された前記複数の単心線同士を互いに結束する結束部材を更に有する、請求項２に記載の光配線部材。
【請求項４】
前記結束部材は、スパイラルチューブである、請求項３に記載の光配線部材。
【請求項５】
前記結束部材は、収縮チューブである、請求項３に記載の光配線部材。
【請求項６】
前記結束部材は、結束バンドである、請求項３に記載の光配線部材。
【請求項７】
前記余長処理領域内では、前記複数の単心線同士が互いに間欠接着されている、請求項１に記載の光配線部材。
【請求項８】
前記集約端部は、対応する前記テープ心線付き光コネクタの前記テープ心線の一端に融着接続されている、請求項１〜７のいずれか一項に記載の光配線部材。
【発明の詳細な説明】
【技術分野】
【０００１】
本発明は、光配線部材に関する。
【背景技術】
【０００２】
特許文献１，２には、複数の光ファイバが入力端と出力端とで互いに異なる配置で接続される光接続装置が開示されている。これらの光接続装置は、テープ状を含む束状の光ファイバを有する光ファイバ整列部と、交差又は積み重ねにより立体的に配線された光ファイバを有する配線部とを備えている。
【先行技術文献】
【特許文献】
【０００３】
【特許文献１】特開平１１−２５８４４８号公報
【特許文献２】特開２００４−４３８８号公報
【発明の概要】
【発明が解決しようとする課題】
【０００４】
複数の光ファイバが配線されている配線部からテープ心線が延びている光配線部材において、テープ心線と光コネクタとを結線する場合、結線部分に不具合が生じることが考えられる。そのため、テープ心線と光コネクタとの結線が再度行われることによって、当該テープ心線の長さは短くなる。この場合、配線部から光コネクタまでの長さを要求された長さに合わせることが困難となる虞がある。また、配線部から複数の光コネクタまでの長さを互いに揃えたい場合に、互いの長さを揃えることが困難となる虞がある。本発明の一形態では、配線部から光コネクタまでの長さを調整できる光配線部材を提供することを目的とする。
【課題を解決するための手段】
【０００５】
一形態の光配線部材は、複数の光導波路が配線されている配線部を含む内部空間、及び、内部空間に通じる開口を有する筐体と、一端が内部空間に配置されたテープ心線、及び、テープ心線の他端に取り付けられた光コネクタを有する複数のテープ心線付き光コネクタと、を備え、複数の光導波路は、対応するテープ心線付き光コネクタごとに集約された集約端部を有し、集約端部は、筐体の内部空間において配線部の縁部に位置決めされるとともに、対応するテープ心線付き光コネクタのテープ心線の一端に接続されており、配線部の縁部と開口との間にはテープ心線を弛ませた状態で配置することができる余長処理領域が設定され、テープ心線は、余長処理領域における開口側の縁部に設けられた位置決め部によって、着脱自在に位置決めされており、余長処理領域内では、テープ心線を構成する複数の単心線同士の少なくとも一部が互いに分離されている。
【発明の効果】
【０００６】
本発明の一形態によれば、配線部から光コネクタまでの長さを調整できる光配線部材を提供することができる。
【図面の簡単な説明】
【０００７】
【図１】光配線部材を模式的に示す断面図である。
【図２】光配線部材を模式的に示す断面図である。
【図３】光配線部材を模式的に示す分解断面図である。
【図４】光配線部材を模式的に示す部分斜視図である。
【図５】光配線部材の他の例を模式的に示す断面図である。
【図６】光配線部材のさらに他の例を模式的に示す断面図である。
【発明を実施するための形態】
【０００８】
［本願発明の実施形態の説明］
最初に、本発明の実施形態の内容を列記して説明する。本発明の一実施形態に係る光配線部材は、複数の光導波路が配線されている配線部を含む内部空間、及び、内部空間に通じる開口を有する筐体と、一端が内部空間に配置されたテープ心線、及び、テープ心線の他端に取り付けられた光コネクタを有する複数のテープ心線付き光コネクタと、を備え、複数の光導波路は、対応するテープ心線付き光コネクタごとに集約された集約端部を有し、集約端部は、筐体の内部空間において配線部の縁部に位置決めされるとともに、対応するテープ心線付き光コネクタのテープ心線の一端に接続されており、配線部の縁部と開口との間にはテープ心線を弛ませた状態で配置することができる余長処理領域が設定され、テープ心線は、余長処理領域における開口側の縁部に設けられた位置決め部によって位置決めされており、余長処理領域内では、テープ心線を構成する複数の単心線同士の少なくとも一部が互いに分離されている。
【０００９】
このような光配線部材では、筐体の内部空間に設定された配線部の縁部と筐体の開口との間に余長処理領域が形成されている。筐体の開口に挿通されたテープ心線の一端は、余長処理領域を通って、対応する集約端部に接続される。これにより、他端に光コネクタが接続されたテープ心線は、対応する複数の光導波路に接続される。一実施形態においては、余長処理領域の開口側の縁部において、位置決め部によってテープ心線が位置決めされる。また、当該テープ心線に接続された集約端部が配線部の縁部に位置決めされる。ここで、位置決め部は、テープ心線を位置決めできるので、余長処理領域内に配置されるテープ心線の弛みを調整することによって、テープ心線の長さを制御することができる。余長処理領域内では、テープ心線を構成する複数の単心線同士の少なくとも一部が互いに分離されているので、テープ心線は長さ方向に交差する方向に容易に撓むことができる。これにより、余長処理領域から光コネクタまでのテープ心線の長さが制御され得るので、配線部から光コネクタまでの長さが調整され得る。
【００１０】
また、一形態に係る光配線部材において、余長処理領域内では、複数の単心線同士が単心分離されていてもよい。この構成においては、テープ心線は長さ方向に交差する方向により容易に撓むことができる。
【００１１】
また、一形態に係る光配線部材では、単心分離された複数の単心線同士を互いに結束する結束部材を更に有してもよい。この構成では、単心線が複雑に輻輳すること抑制し、単心線の断線のリスクを低減できる。
【００１２】
また、一形態に係る光配線部材では、結束部材は、スパイラルチューブであってもよい。また、結束部材は、収縮チューブであってもよい。また、結束部材は、結束バンドであってもよい。これらの構成では、単心線同士を簡便に結束することができる。
【００１３】
また、一形態に係る光配線部材において、余長処理領域内では、複数の単心線同士が互いに間欠接着されていてもよい。この構成では、単心線同士が単心分離されていないので、断線のリスクを低減できる。
【００１４】
また、一形態に係る光配線部材では、集約端部は、対応するテープ心線付き光コネクタのテープ心線の一端に融着接続されている。集約端部とテープ心線とが融着によって接続される構成であるため、容易に製造することができる。
【００１５】
［本願発明の実施形態の詳細］
本発明の実施形態に係る光配線部材の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００１６】
［第１実施形態］
図１及び図２は、光配線部材の断面図である。光配線部材１は、筐体１０と、複数の光ファイバ２０と、複数のテープ心線付き光コネクタ３０（３０Ａ，３０Ｂ）と、を備えている。なお、図１は、テープ心線付き光コネクタ３０の配列方向に沿った断面図である。また、図２は、テープ心線付き光コネクタ３０の長さ方向に沿った断面図である。図１の切断面と図２の切断面とは互いに直交する。なお、図２では、光ファイバ２０は両端部のみが示され、中間部分は省略されている。以下の説明では、テープ心線付き光コネクタ３０の長さ方向を光配線部材１の前後方向として表現する場合がある。
【００１７】
筐体１０は、内部空間Ｓ、及び、内部空間Ｓに通じる開口１０ａ，１０ｂを有する。内部空間Ｓは、複数の光ファイバ（光導波路）２０が配線されている配線部Ｓ１を含む。本実施形態では、筐体１０は、第１筐体１１及び第２筐体１５を含んでいる。第１筐体１１は、図１に示されるように、平面視において矩形をなす平板状の板状部１２を含んでいる。板状部１２において互いに対向する一対の辺には板状部１２から起立する側壁１３ａ、１３ｂが形成されている。側壁１３ａ，１３ｂは、例えば板状部１２と一体的に形成されている。また、板状部１２において互いに対向する他の一対の辺には、一方の側壁１３ａから他方の側壁１３ｂにわたって前壁１４ａ及び後壁１４ｂが配置されている。第２筐体１５は、例えば第１筐体１１と同様の構成を有しており、平面視において矩形をなす平板状の板状部１６を含んでいる（図２参照）。板状部１６において互いに対向する一対の辺には板状部１６から起立する側壁１７ａ，１７ｂが形成されている。側壁１７ａ，１７ｂは、例えば板状部１６と一体的に形成されている。また、板状部１６において互いに対向する他の一対の辺には、一方の側壁１７ａから他方の側壁１７ｂにわたって前壁１８ａ及び後壁１８ｂが配置されている。
【００１８】
筐体１０は、側壁１３ａ，１３ｂと側壁１７ａ，１７ｂとが互いに当接した状態で第１筐体１１と第２筐体１５とが固定されることによって構成される。この状態では、第１筐体１１の一方の側壁１３ａと第２筐体１５の一方の側壁１７ａとによって筐体１０の一方の側壁１９ａが構成され、第１筐体１１の他方の側壁１３ｂと第２筐体１５の他方の側壁１７ｂとによって筐体１０の他方の側壁１９ｂが構成される。内部空間Ｓは、第１筐体１１の板状部１２、第２筐体１５の板状部１６、及び側壁１９ａ，１９ｂによって囲まれている。筐体１０の前部及び後部には、第１筐体１１の板状部１２、第２筐体１５の板状部１６、及び側壁１９ａ，１９ｂの縁によって囲まれた開口１０ａ，１０ｂが形成されている。この開口１０ａ，１０ｂは、前壁１４ａ，１８ａ及び後壁１４ｂ，１８ｂによって閉塞され得る。開口１０ａにはテープ心線付き光コネクタ３０Ａを構成するテープ心線３３が挿通され、開口１０ｂにはテープ心線付き光コネクタ３０Ｂを構成するテープ心線３３が挿通されている。
【００１９】
筐体１０の内部空間Ｓには複数の光ファイバ２０が配線された配線部Ｓ１が設定されている（図１参照）。配線部Ｓ１は、平面視において、内部空間Ｓの前後方向における中央に形成されている。すなわち、配線部Ｓ１の前縁部Ｓａと前側の開口１０ａとの間には所定の距離が設定されている。また、配線部Ｓ１の後縁部Ｓｂと後側の開口１０ｂとの間には所定の距離が設定されている。配線部Ｓ１の前縁部Ｓａと開口１０ａとの間、及び、配線部Ｓ１の後縁部Ｓｂと開口１０ｂとの間には、テープ心線付き光コネクタ３０Ａ，３０Ｂを構成するテープ心線３３を弛ませた状態で配置することができる余長処理領域Ｓ２，Ｓ３が設定されている。なお、本実施形態では、配線部Ｓ１と余長処理領域Ｓ２及び余長処理領域Ｓ３との間に仕切り等は存在していないが、配線部Ｓ１と余長処理領域Ｓ２及び余長処理領域Ｓ３との間には仕切り等が配置されてもよい。
【００２０】
配線部Ｓ１に配置されている複数の光ファイバ２０のそれぞれは、一端においてテープ心線付き光コネクタ３０Ａのいずれかに対応している。また、複数の光ファイバ２０のそれぞれは、他端においてテープ心線付き光コネクタ３０Ｂのいずれかに対応している。複数の光ファイバ２０は、一端及び他端において、対応するテープ心線付き光コネクタ３０Ａ，３０Ｂごとに集約された集約端部を有する。図示例では、複数の光ファイバ２０の一端及び他端が、対応するテープ心線付き光コネクタ３０Ａ，３０Ｂごとにテープ化（リボン化）されたテープ化端部（集約端部）２３、２５となっている。テープ化端部２３、２５では、複数の光ファイバ２０が一方向に沿って配列されている。
【００２１】
図示例では、１６本の光ファイバ２０が配線部Ｓ１において互いに立体的に交差して配置されている。光ファイバ２０は、それぞれの一端側において、対応するテープ心線付き光コネクタ３０Ａに応じて４本の光ファイバ２０がテープ化された複数のテープ化端部２３を形成している。同様に、光ファイバ２０は、それぞれの他端側において、対応するテープ心線付き光コネクタ３０Ｂに応じて４本の光ファイバ２０がテープ化された複数のテープ化端部２５を形成している。各テープ化端部２３，２５では、４本の光ファイバ２０が幅方向（一対の側壁が対向している方向）に沿って配列されている。一端側のテープ化端部２３を構成する４本の光ファイバ２０の組合せと、他端側のテープ化端部２５を構成する４本の光ファイバ２０の組合せとは、互いに異なっている。テープ化端部２３同士は、互いの幅方向に沿って配列されている。テープ化端部２５同士は、互いの幅方向に沿って配列されている。
【００２２】
テープ化端部２３，２５は、筐体１０の内部空間Ｓにおいて位置決めされている。本実施形態では、テープ化端部２３，２５は、配線部Ｓ１の縁部に位置決めされる。すなわち、複数のテープ化端部２３は、配線部Ｓ１の前縁部Ｓａに位置決めされており、複数のテープ化端部２５は、配線部Ｓ１の後縁部Ｓｂに位置決めされている。テープ化端部２３，２５は、例えば、筐体１０に固定可能な固定部材を介して筐体に固定されてもよいし、接着剤等によって筐体１０に固定されてもよい。
【００２３】
続いて、テープ心線付き光コネクタ３０Ａ，３０Ｂの詳細について説明する。本実施形態では、テープ心線付き光コネクタ３０Ａとテープ心線付き光コネクタ３０Ｂとが実質的に同じ構成を有している。テープ心線付き光コネクタ３０Ａ、３０Ｂは、いずれもテープ心線３３と、光コネクタ３５とを有する。テープ心線３３は、複数の光ファイバが一方向に配列された状態でテープ化（リボン化）されている。以下、複数の光ファイバが配列されている方向をテープ心線の幅方向という場合がある。本実施形態のテープ心線３３では、テープ化端部２３，２５と同様に４本の光ファイバ（単心線）３４がテープ化されている。テープ心線３３における光ファイバの配列方向は、テープ化端部２３，２５における光ファイバ２０の配列方向と同じである。複数のテープ心線３３は、互いの幅方向に沿って互いに離間した状態で配置されている。
【００２４】
テープ心線３３の一端は、開口１０ａ又は開口１０ｂを介して筐体１０の余長処理領域Ｓ２，Ｓ３のいずれかに配置されている。本実施形態では、４つのテープ心線付き光コネクタ３０Ａを構成するそれぞれのテープ心線３３の一端が前側の開口１０ａから余長処理領域Ｓ２に挿通される。また、４つのテープ心線付き光コネクタ３０Ｂを構成するそれぞれのテープ心線３３の一端が後側の開口１０ｂから余長処理領域Ｓ３に挿通されている。
【００２５】
余長処理領域Ｓ２，Ｓ３内では、テープ心線３３を構成する複数の光ファイバ３４同士の少なくとも一部が互いに分離されている。本実施形態では、４本の光ファイバ３４が長さ方向の所定の領域において単心分離されている。また、テープ心線３３の一端では、４本の光ファイバ３４が拘束されている。図示例では、テープ心線３３の一端は、テープ化されたテープ化端部３３ａとなっている。なお、図２及び図３では、テープ心線３３はテープ化された部分のみが示され、単心分離された部分は省略されている。
【００２６】
テープ化端部３３ａは、対応するテープ化端部２３，２５に接続されている。本実施形態では、４つのテープ心線付き光コネクタ３０Ａを構成する４つのテープ心線３３のテープ化端部３３ａが４つのテープ化端部２３にそれぞれ対応している。また、４つのテープ心線付き光コネクタ３０Ｂを構成する４つのテープ心線３３のテープ化端部３３ａが４つのテープ化端部２５にそれぞれ対応している。一例として、テープ化端部３３ａは、対応するテープ化端部２３，２５に融着接続されている。この場合、接続部分は、光ファイバを補強するスリーブである保護スリーブによって被覆され得る。
【００２７】
複数のテープ心線３３の他端には、それぞれ光コネクタ３５が接続されている。例えば、光コネクタ３５は、多心光コネクタであり、本実施形態では、一方向に配列された４本の光ファイバを一括で収容する４心のＭＴコネクタである。
【００２８】
テープ心線３３は、余長処理領域Ｓ２，Ｓ３における開口側の縁部に設けられた位置決め部４０によって、着脱自在に位置決めされている。位置決め部４０は、テープ心線３３におけるテープ化されている部分を厚さ方向に挟持して位置決めする挟持部４３を有している。位置決め部４０は、開口１０ａ，１０ｂに設けられた前壁１４ａ，１８ａ及び後壁１４ｂ，１８ｂによって構成されている。この場合、余長処理領域Ｓ２は、配線部Ｓ１の前縁部Ｓａから開口１０ａまで延在していることになる。同様に、余長処理領域Ｓ３は、配線部Ｓ１の後縁部Ｓｂから開口１０ｂまで延在していることになる。
【００２９】
図３は、図２の光配線部材が分解された状態を示す分解断面図である。前壁１４ａ，１８ａ及び後壁１４ｂ，１８ｂは、弾性変形する弾性材料によって形成されている。図３に示すように、前壁１４ａ，１８ａ及び後壁１４ｂ，１８ｂの高さは、自然状態において側壁１３ａ，１３ｂ，１７ａ，１７ｂの高さよりも高い。一例として、前壁１４ａ，１８ａ及び後壁１４ｂ，１８ｂは、スポンジ、ゴム等によって形成されてよい。図４は、光配線部材１を部分的に示す斜視図である。図４に示すように、筐体１０が構成されている状態では、前壁１４ａ，１８ａ及び後壁１４ｂ，１８ｂは、一対の板状部１２，１６に押圧されて互いに密着するように変形している。すなわち、筐体１０の開口１０ａ，１０ｂは、前壁１４ａ，１８ａ及び後壁１４ｂ，１８ｂによって閉塞され得る。開口１０ａを通るテープ心線３３は、第１筐体１１の前壁１４ａと第２筐体１５の前壁１８ａとによって構成される挟持部４３によって挟持されて位置決めされる。開口１０ｂを通るテープ心線３３は、第１筐体１１の後壁１４ｂと第２筐体１５の後壁１８ｂとによって構成される挟持部４３によって挟持されて位置決めされる。
【００３０】
以上説明した光配線部材１では、筐体１０の内部空間Ｓに設定された配線部Ｓ１の縁部（前縁部Ｓａ、後縁部Ｓｂ）と筐体１０の開口１０ａ，１０ｂとの間に余長処理領域Ｓ２，Ｓ３が形成されている。例えば筐体１０の開口１０ａに挿通されたテープ心線３３の一端は、余長処理領域Ｓ２を通って、対応するテープ化端部２３に接続される。これにより、他端に光コネクタ３５が接続されたテープ心線３３は、対応する複数の光ファイバ２０に接続される。一実施形態においては、余長処理領域Ｓ２の縁部である開口１０ａにおいて、位置決め部４０によってテープ心線３３が位置決めされる。また、当該テープ心線３３に接続されたテープ化端部２３が配線部Ｓ１の前縁部Ｓａに位置決めされる。ここで、位置決め部４０は、テープ心線３３を着脱自在に位置決めできるので、余長処理領域Ｓ２内に配置されるテープ心線３３の弛みを調整することができる。余長処理領域Ｓ２，Ｓ３内では、テープ心線３３を構成する複数の光ファイバ３４同士の少なくとも一部が互いに分離されているので、テープ心線３３は長さ方向に交差する方向に容易に撓むことができる。光ファイバ３４同士が互いに分離されていない場合であってもテープ心線はその厚さ方向に対しては撓むことができるが、特に、上記実施形態では、光ファイバ３４が単心分離されているので長さ方向に交差するいずれの方向に対しても容易に撓むことができる。この場合、筐体１０の厚さが小さい場合であっても光ファイバ３４が幅方向に撓むことによって、テープ心線３３の弛みを調整することができる。これにより、余長処理領域Ｓ２から光コネクタ３５までのテープ心線３３の長さが制御され得るので、配線部Ｓ１から光コネクタ３５までの長さが制御され得る。例えば、位置決め部４０によって挟持される位置をテープ心線３３の光コネクタ３５側に近づけることによって、配線部Ｓ１から光コネクタ３５までの長さは短くなる。反対に、位置決め部４０によって挟持される位置を光コネクタ３５から遠ざけることによって、配線部Ｓ１から光コネクタ３５までの長さが長くなる。
【００３１】
テープ化端部２３，２５は、対応するテープ心線付き光コネクタ３０のテープ心線３３の一端に融着されている。テープ化端部とテープ心線３３とが融着によって光学的に接続される構成であるため、容易に製造することができる。この場合、テープ化端部とテープ心線３３との融着部分には融着スリーブが設けられる。融着スリーブは余長処理領域Ｓ２，Ｓ３を含む筐体１０の内部空間Ｓ内に配置され得る。
【００３２】
［第２実施形態］
本実施形態に係る光配線部材１０１は、単心分離された複数の単心線同士を互いに結束する結束部材を備える点で第１実施形態の光配線部材と相違している。以下、主として第１実施形態と相違する点について説明し、同一の要素や部材については同一の符号を付して詳しい説明を省略する。
【００３３】
図５は、本実施形態に係る光配線部材１０１を示す断面図である。光配線部材１０１は、筐体１０と、複数の光ファイバ２０と、複数のテープ心線付き光コネクタ３０（３０Ａ，３０Ｂ）と、結束部材３７とを備えている。
【００３４】
結束部材３７は、単心分離された複数の光ファイバ３４同士を互いに結束する。例えば結束部材３７は、少なくとも一つのテープ心線３３を構成する複数（図示例では４つ）の光ファイバ３４を一括で結束する。図５に示す例では、結束部材３７は互いに隣り合って配置される２つのテープ心線３３を構成する複数（図示例では８つ）の光ファイバ３４を一括で結束している。この構成では、光ファイバ３４が複雑に輻輳すること抑制し、光ファイバ３４の断線のリスクを低減できる。
【００３５】
結束部材３７は、例えば、スパイラルチューブ、収縮チューブ、結束バンド等の環状を形成し得る部材によって構成され得る。スパイラルチューブは、自然状態では自身の弾性力によって長尺円環状をなしており、その弾性力に抗して押し広げることにより、長尺板状となり得る。収縮チューブは、自然状態では所定の径の円環状をなしており、弾性力に抗して押し広げることにより、大きな径の円環状となる。又は、収縮チューブは、加熱することにより、小さな径の円環状となる。結束バンドは、長尺のバンドの一端に設けられた固定孔にバンドの他端を挿通し、バンドを締め付けることによって任意の径の環状体となる。スパイラルチューブ、収縮チューブ、結束バンド等によって結束部材３７を構成することによって、光ファイバ３４を簡便に結束することができる。
【００３６】
［第３実施形態］
本実施形態に係る光配線部材２０１は、余長処理領域内において、複数の単心線同士が互いに間欠接着されている点で第１実施形態の光配線部材と相違している。以下、主として第１実施形態と相違する点について説明し、同一の要素や部材については同一の符号を付して詳しい説明を省略する。
【００３７】
図６は、本実施形態に係る光配線部材２０１を示す断面図である。光配線部材２０１は、筐体１０と、複数の光ファイバ２０と、複数のテープ心線付き光コネクタ３０（３０Ａ，３０Ｂ）とを備えている。
【００３８】
テープ心線付き光コネクタ３０は、光コネクタ３５及びテープ心線３３を含んでいる。テープ心線３３では、第１実施形態における光ファイバ３４と同様の４本の光ファイバ（単心線）３９がテープ化されている。すなわち、テープ心線３３における一端に形成されたテープ化端部３３ａの構成は、第１実施形態におけるテープ化端部３３ａと同様である。本実施形態では、余長処理領域Ｓ２，Ｓ３内において、４本の光ファイバ３９が長さ方向の所定の領域において互いに間欠接着されている。すなわち、一方向に並設された４本の光ファイバ３９では、互いに隣り合う光ファイバ３９同士が長手方向に間欠的に互いに接着されている。一組の光ファイバ３９に着目した場合、一方に隣り合う光ファイバ３９との接着位置と、他方に隣り合う光ファイバ３９との接着位置とは、長さ方向に互いにずれている。
【００３９】
上記構成では、光ファイバ３９同士の一部が互いに分離しているので、テープ心線３３は長さ方向に交差する方向に容易に撓むことができる。また、光ファイバ３９同士が単心分離されていないので、断線のリスクを低減できる。
【００４０】
以上、本発明の実施の形態について図面を参照して詳述したが、具体的な構成はこの実施形態に限られるものではない。
【００４１】
例えば、挟持部４３を形成する前壁１４ａ，１８ａ及び後壁１４ｂ，１８ｂの高さが側壁１３ａ，１３ｂ，１７ａ，１７ｂよりも高い形態を例示したが、これに限定されない。例えば、筐体が構成された状態で前壁及び後壁によって位置決め部が形成されればよい。すなわち、筐体が構成された状態で第１筐体の前壁（後壁）と第２筐体の前壁（後壁）とによってテープ心線が挟持可能であればよい。例えば、前壁及び後壁の高さは側壁と同じであってもよいし、前壁及び後壁の高さは側壁より低くてもよい。
【００４２】
また、位置決め部４０が、前壁１４ａ，１８ａ及び後壁１４ｂ，１８ｂによって形成される挟持部４３を備える例を示したが、これに限定されない。位置決め部は、内部空間において配線部の縁部よりも開口に近い位置でテープ心線を固定できればよい。例えば、位置決め部は、開口に配置されたクリップ等であってもよい。この場合、クリップによってテープ心線を固定できるとともに、クリップを緩ませた状態ではテープ心線と筐体との相対位置を任意に変更できる。
【００４３】
また、筐体１０の開口１０ａ，１０ｂが互いに対向するように設けられている例を示したが、これに限定されない。例えば、２つの開口は、筐体における互いに直交する壁面にそれぞれ形成されてもよい。
【００４４】
また、一方の開口１０ａに挿通されるテープ心線付き光コネクタと他方の開口１０ｂに挿通されるテープ心線付き光コネクタとが同数である例を示したがこれに限定されず、それぞれのテープ心線付き光コネクタの数は、互いに異なっていてもよい。説明を簡略化するために、配線部Ｓ１の光ファイバ２０の本数は、１６本である例を示したが、これに限定されない。また、複数の光コネクタ３５は、４心のＭＴコネクタである例を示したが、４心に限定されない。更に、複数の光コネクタ３５はそれぞれ、互いに異なる心数のＭＴコネクタであってもよい。
【符号の説明】
【００４５】
１…光配線部材、１０…筐体、１０ａ，１０ｂ…開口、２０…光ファイバ、２３，２５…テープ化端部、３０…テープ心線付き光コネクタ、３３…テープ心線、３４…光ファイバ（単心線）、３５…光コネクタ、４０…位置決め部、Ｓ…内部空間、Ｓ１…配線部、Ｓ２，Ｓ３…余長処理領域、Ｓａ…前縁部（縁部）、Ｓｂ…後縁部（縁部）。
【図１】
2019056833.tif 000003
【図２】
2019056833.tif 000004
【図３】
2019056833.tif 000005
【図４】
2019056833.tif 000006
【図５】
2019056833.tif 000007
【図６】
2019056833.tif 000008